【事件の表示】
　特願２００６−３５２８１０「放送受信装置および放送表示方法」拒絶査定不服審判事件〔平成２０年　７月１７日出願公開、特開２００８−１６７０３３〕について、次のとおり審決する。
【結　論】
　本件審判の請求は、成り立たない。
【理　由】
１．手続の経緯
　本願は、平成１８年１２月２７日の出願であって、平成２３年１１月１０日付で拒絶の理由が通知され、平成２４年１月１６日付で意見書及び手続補正書が提出されたものの、平成２４年２月１５日付で拒絶査定がなされたものである。
　本件は、上記拒絶査定を不服として平成２４年５月２１日に請求された拒絶査定不服審判である。
　
２．本願発明
　本願の特許請求の範囲の請求項１〜６に係る各発明は、明細書及び図面の記載からみて、請求項１〜６にそれぞれ記載されるとおりのものと認められるところ、請求項１に係る発明（以下「本願発明」という。）は次のとおりである。
　
「複数のチャンネルを有する放送信号を受信する受信手段と、
　少なくとも番組放送開始時刻を含む番組関連情報を取得する情報取得手段と、
　前記番組放送開始時刻と現在時刻とに基づき、表示中のチャンネル以外のチャンネルの放送開始時刻が近付いた番組の情報を表示するように制御する制御手段と、
を具備して成ることを特徴とする放送受信装置」
　
３．引用発明
　これに対して、原査定の拒絶の理由に引用された本願の出願前に頒布された特開２００６−２３７８７３号公報（以下「引用例」という。）には図面と共に以下の記載がある。
　
「【０００１】
　本発明はリモコンシステムに関し、特に、チャンネルの選局を自動で行う表示制御装置に関するものである。」
「【０００４】
　しかしながら、従来のテレビジョン受像機では、ユーザがリモコン操作によって電子番組表の表示を指示しない限り、電子番組表が画面に表示されることはなく、次の時間帯にいつも見ている番組があるにも拘わらず、それを忘れてそのままチャンネルを変えることなく同一チャンネルの次の番組を見てしまい、本当に見たかった番組を見逃してしまう場合があるという問題があった。
　また、番組表に基づいて録画予約ができるものがあるが、次の時間帯に録画したい番組が放送される場合、録画予約するのを忘れてしまったとき、その番組が開始されてからそのことに気づき、録画する機会を逃してしまう場合があるという問題があった。
　本発明はこのような状況に鑑みてなされたものであり、現在視聴している番組が終了する一定時間前に番組表を表示して、次に視聴したい番組の選局や録画を予約することができるようにするものである。」
「【０００７】
　図１は、本発明を応用したテレビジョン受像機の一実施の形態の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０ａ，２１０ｂと、映像信号処理部２１１と、音声信号処理部２１２と、映像出力処理部２１３と、音声出力処理部２１４と、表示部２２０と、スピーカ２３０等から構成されている。チューナ２１０ａ，２１０ｂは、それぞれ地上波放送、ＢＳ放送、ＣＳ放送、データ放送等を受信し、所望のチャンネルを選局することができるものとする。」
「【０００９】
　制御部２０３は、Ｉ／Ｆ２０２より供給された制御データに基づいて各部を制御し、リモコン１００の操作に対応する各種処理を実行するようになっている。また、制御部２０３は、図示しない時計回路を内蔵しており、現在の時刻に基づいて、現在表示されている番組が終了する一定時間前に、後述する映像信号処理部２１１より供給される映像信号に重畳された電子番組表（Electronic Program Guide（EPG））のデータ（各番組が放送されるチャンネルと、その放送開始時刻、および放送終了時刻とからなるデータ）に基づいて、番組選択メニューに対応するオーバレイグラフィックを生成するためのメニューデータを生成し、オーバレイグラフィック処理部２０４に供給するようになっている。また、この番組選択メニューに基づいてチューナ２１０ａを制御し、ユーザによって予約された番組が開始される時刻にその番組が放送されるチャンネルに切り替えるようになっている。」
「【００１０】
　オーバレイグラフィック処理部２０４は、制御部２０３の制御下、映像に重ね合わせる文字や図形からなるオーバレイグラフィックを生成し、映像出力処理部２１３に供給するようになっている。例えば、制御部２０３より供給されたメニューデータに基づいて、図３に示すような番組表を含む番組選択メニューを生成するようになっている。」
「【００１１】
　この番組選択メニューは、現在より後の次の時間帯以降に放送される番組の一覧を示す番組表からなり、リモコン１００を操作することにより、その番組表の中から所望の番組の視聴または録画を予約することができるようになっている。」
「【００１３】
　チューナ２１０ａは、図示しないアンテナによって受信された受信信号から所定のチャンネルの映像音声信号を抽出し、映像信号を映像信号処理部２１１に供給し、音声信号を音声信号処理部２１２に供給するようになっている。」
「【００１５】
　映像信号処理部２１１は、チューナ２１０ａ、２１０ｂより供給された映像信号に対してそれぞれ所定の処理を施した後、映像出力処理部２１３に供給するようになっている。また、映像信号処理部２１１は、チューナ２１０ａより供給された映像信号から電子番組表に対応するデータを取り出し、制御部２０３に供給するようになっている。音声信号処理部２１２は、チューナ２１０ａ，２１０ｂより供給された音声信号に対してそれぞれ所定の処理を施した後、音声出力処理部２１４に供給するようになっている。」
「【００２７】
  映像出力処理部２１３は、オーバレイグラフィック処理部２０４より供給されたオーバレイグラフィックを映像信号処理部２１１より供給された映像信号に重ね合わせて合成し、合成した映像信号を表示部２２０に供給する。表示部２２０は、映像出力処理部２１３より供給された映像信号を画面に表示する。これにより、図３に示すような番組表を含む番組選択メニューが映像に重ね合わせて表示される。」
「【００３８】
　また、例えば、いま視聴している番組が１９時から２１時までの２時間番組である場合、２０時から他局でいつも視聴している番組が放送される場合があるので、他局のいずれかの番組が終了する一定時間前に番組選択メニューを表示させるようにすることもできる。これにより、たまたま２時間番組を視聴していた場合でも、いつも視聴している番組を見逃してしまうという事態の発生を抑制することができる。」
　
　ここで、上記記載を検討する。
　
　第一に、上記段落【０００１】【０００７】の記載からみて、引用例記載の発明は「チャンネルの選局を自動で行う地上波放送を受信するテレビジョン受像機」に関するものである。
　第二に、上記段落【０００７】【００１３】の記載からみて、引用例記載の発明のテレビジョン受像機は、「アンテナによって受信された受信信号から所定のチャンネルの映像音声信号を抽出するチューナ２１０ａを備え」ている。
　第三に、上記段落【０００９】の記載からみて、引用例記載の発明のテレビジョン受像機は「制御部２０３を備え」ており、この「制御部２０３」は「電子番組表（Electronic Program Guide（EPG））のデータ（各番組が放送されるチャンネルと、その放送開始時刻、および放送終了時刻とからなるデータ）に基づいて、番組選択メニューに対応するオーバレイグラフィックを生成するためのメニューデータを生成」するものであって、上記段落【００１１】【００２７】の記載からみて、この「番組選択メニュー」は「現在より後の次の時間帯以降に放送される番組の一覧を示す番組表を含む」ものである。
　第四に、上記段落【００３８】の「また、例えば、いま視聴している番組が１９時から２１時までの２時間番組である場合、２０時から他局でいつも視聴している番組が放送される場合があるので、他局のいずれかの番組が終了する一定時間前に番組選択メニューを表示させるようにすることもできる。これにより、たまたま２時間番組を視聴していた場合でも、いつも視聴している番組を見逃してしまうという事態の発生を抑制することができる。」との記載からみて、この「制御部２０３」は「いつも視聴している番組を見逃してしまうという事態の発生を抑制するために、他局のいずれかの番組が終了する一定時間前に番組選択メニューを表示させる」ものであって、この処理が「制御部２０３」が内蔵する「時計回路」で得られた「現在の時刻に基づいて」行われることは、上記段落【０００９】の記載からみて明らかである。
　第五に、上記段落【０００９】【００１５】の記載からみて、引用例記載の発明のテレビジョン受像機は、「映像信号に重畳された電子番組表（ＥＰＧ）に対応するデータ（各番組が放送されるチャンネルと、その放送開始時刻、および放送終了時刻とからなるデータ）を取り出す映像信号処理部２１１を備え」ている。
　
　以上のことから、引用例には以下の発明（以下「引用発明」という。)が記載されている。
　
「チャンネルの選局を自動で行う地上波放送を受信するテレビジョン受像機であって、
　アンテナによって受信された受信信号から所定のチャンネルの映像音声信号を抽出するチューナ（２１０ａ）を備え、
　映像信号に重畳された電子番組表（ＥＰＧ）に対応するデータ（各番組が放送されるチャンネルと、その放送開始時刻、および放送終了時刻とからなるデータ）を取り出す映像信号処理部（２１１）を備え、
　電子番組表（Electronic Program Guide（EPG））のデータ（各番組が放送されるチャンネルと、その放送開始時刻、および放送終了時刻とからなるデータ）に基づいて、現在より後の次の時間帯以降に放送される番組の一覧を示す番組表を含む番組選択メニューに対応するオーバレイグラフィックを生成するためのメニューデータを生成し、いつも視聴している番組を見逃してしまうという事態の発生を抑制するために、内蔵する時計回路で得られた現在の時刻に基づいて、他局のいずれかの番組が終了する一定時間前に番組選択メニューを表示させる制御部（２０３）を備えた、
　テレビジョン受像機」
　
４．対比
　本願発明と引用発明を対比する。
　
[放送受信装置]
　引用発明の「テレビジョン受像機」は、チャンネルの選局を自動で行う地上波放送を受信し、現在より後の次の時間帯以降に放送される番組の一覧を示す番組表を含む番組選択メニューを表示するから、以下で述べる相違点を除くと、上記本願発明の「放送受信装置」に相当する。
　
[複数のチャンネルを有する放送信号を受信する受信手段]
　引用発明の「チューナ（２１０ａ）」は、受信信号から所定のチャンネルの映像音声信号を抽出するから、上記本願発明の「複数のチャンネルを有する放送信号を受信する受信手段」に相当する。
　
[少なくとも番組放送開始時刻を含む番組関連情報を取得する情報取得手段]
　引用発明の「映像信号処理部（２１１）」は、映像信号に重畳された電子番組表（ＥＰＧ）に対応するデータ（各番組が放送されるチャンネルと、その放送開始時刻、および放送終了時刻とからなるデータ）を取り出すものであって、引用発明の「データ」と上記本願発明の「番組関連情報」が一致するから、引用発明の「映像信号処理部（２１１）」と上記本願発明の「少なくとも番組放送開始時刻を含む番組関連情報を取得する情報取得手段」が一致する。
　
[前記番組放送開始時刻と現在時刻とに基づき、表示中のチャンネル以外のチャンネルの放送開始時刻が近付いた番組の情報を表示するように制御する制御手段]
　上記したように、引用発明の「制御部（２０３）」は「電子番組表（Electronic Program Guide（EPG））のデータ（各番組が放送されるチャンネルと、その放送開始時刻、および放送終了時刻とからなるデータ）に基づいて、現在より後の次の時間帯以降に放送される番組の一覧を示す番組表を含む番組選択メニューに対応するオーバレイグラフィックを生成するためのメニューデータを生成し、いつも視聴している番組を見逃してしまうという事態の発生を抑制するために、内蔵する時計回路で得られた現在の時刻に基づいて、他局のいずれかの番組が終了する一定時間前に番組選択メニューを表示させる」ものである。
　ここで、引用発明の「番組選択メニュー」は「電子番組表（Electronic Program Guide（EPG））のデータ（各番組が放送されるチャンネルと、その放送開始時刻、および放送終了時刻とからなるデータ）に基づいて」生成され、且つ、「現在より後の次の時間帯以降に放送される番組の一覧を示す番組表を含む」ものである。そして「他局のいずれかの番組が終了する一定時間前」に表示される「番組選択メニュー」に含まれる「現在より後の次の時間帯以降に放送される番組の一覧を示す番組表」には、終了する他局のいずれかの番組に続いて放送が開始される他局の番組の情報が必ず含まれているから、結局、引用発明の「番組選択メニュー」と本願発明の「放送開始時刻が近付いた番組の情報」が一致する。
　次に、引用発明の「制御部（２０３）」は「いつも視聴している番組を見逃してしまうという事態の発生を抑制するために、内蔵する時計回路で得られた現在の時刻に基づいて、他局のいずれかの番組が終了する一定時間前に番組選択メニューを表示させる」ものであり、いつも視聴している番組は他局の番組と考えられるから、引用発明と本願発明はいずれも「現在時刻に基づき、表示中のチャンネル以外のチャンネルの放送開始時刻が近付いた番組の情報を表示するように制御する」点で一致している。しかしながら、本願発明の「制御手段」は「前記番組放送開始時刻と現在時刻とに基づき」放送開始時刻が近付いた番組の情報を表示するのに対し、引用発明の「制御部（２０３）」は他局のいずれかの番組が「終了する一定時間前」に番組選択メニューを表示させる点で相違している。
　すなわち、本願発明の「制御手段」と引用発明の「制御部（２０３）」は、「現在時刻に基づき、表示中のチャンネル以外のチャンネルに基づき放送開始時刻が近付いた番組の情報を表示するように制御する」点で一致し、それに対して、本願発明の「制御手段」は「前記番組放送開始時刻と現在時刻とに基づき」放送開始時刻が近付いた番組の情報を表示するのに対し、引用発明の「制御部（２０３）」は他局のいずれかの番組が「終了する一定時間前」に番組選択メニューを表示させる点で相違している。
　
　したがって、全体として、本願発明と引用発明との一致点、相違点は次のとおりであると認められる。
　
[一致点]
「複数のチャンネルを有する放送信号を受信する受信手段と、
　少なくとも番組放送開始時刻を含む番組関連情報を取得する情報取得手段と、
　現在時刻に基づき、表示中のチャンネル以外のチャンネルの放送開始時刻が近付いた番組の情報を表示するように制御する制御手段と、
を具備して成ることを特徴とする放送受信装置」
　
[相違点]
　本願発明の「制御手段」は「前記番組放送開始時刻と現在時刻とに基づき」放送開始時刻が近付いた番組の情報を表示するのに対し、引用発明の「制御部２０３」は他局のいずれかの番組が「終了する一定時間前」に番組選択メニューを表示させる点。
　
５．判断
　上記相違点について検討する。
　
　引用例段落【００３８】の記載に基づいて認定したように、引用発明は「いつも視聴している番組を見逃してしまうという事態の発生を抑制する」ことを目的とするものである。また、この段落【００３８】の「また、例えば、いま視聴している番組が１９時から２１時までの２時間番組である場合、２０時から他局でいつも視聴している番組が放送される場合があるので、他局のいずれかの番組が終了する一定時間前に番組選択メニューを表示させるようにすることもできる。」との記載からみて、「他局のいずれかの番組が終了する一定時間前」とは、この「他局でいつも視聴している番組」の前に放送されている「他局のいずれかの番組が終了する一定時間前」であると考えるのが自然である。そして、この記載の「他局でいつも視聴している番組」は、この段落【００３８】に記載される事例では、具体的には２０時から放送される番組であり、通常の電子番組表（Electronic Program Guide（EPG））のデータでは、前の番組の放送終了時刻と、後の番組の放送開始時刻は同じ時刻となるように設定されていることを考えると、この「他局のいずれかの番組が終了する一定時間前」も、この事例では「他局でいつも視聴している番組」の放送開始時刻である２０時から一定時間前ということとなる。すなわち、このような時刻に報知を行うことによって、引用発明は「いつも視聴している番組を見逃してしまうという事態の発生を抑制する」ことを実現しているものである。
　ここで、なんらかの予定があることについて自動的な報知を行う場合、その予定の開始時刻を基準として、現在時刻がその開始時刻に近づいた時に報知を行うことが例を挙げるまでもなく極めて良く行われており、この「いつも視聴している番組」が放送されることも、その番組を視聴するという予定ということができることを考えると、「いつも視聴している番組を見逃してしまうという事態の発生を抑制する」ことを目的とする引用発明は、具体的には「他局のいずれかの番組が終了する一定時間前」に報知を行うものではあるものの、通常の電子番組表（Electronic Program Guide（EPG））のデータでは、前の番組の放送終了時刻と、後の番組の放送開始時刻は同じ時刻となるように設定されていることを利用して、実際には「いつも視聴している番組」の放送開始時刻に注目していると理解するのが、極めて自然である。
　そうすると、引用発明において番組が「終了する一定時間前」に番組選択メニューを表示させていることを「いつも視聴している番組を見逃してしまうという事態の発生を抑制する」ことを目的として、本願発明のように「番組放送開始時刻と現在時刻とに基づき」番組の情報を表示させるようにしたことは、当業者が容易に想到しえたことである。
　また、本願発明の効果についてみても、当業者が当然に予測し得る程度のものにすぎない。
　
　よって、本願発明は引用発明に基づいて当業者が容易に発明できたものである。
　
６．むすび
　以上のとおり、本願発明は、引用例に記載された発明に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　
　よって、結論のとおり審決する。